(57)【要約】  管理装置（１００）は、インターネットを介して複数のショップが出店する電子市場を管理する。管理装置（１００）は、計算部（１１）と、選択部（１２）と、推奨部（１３）を備える。計算部（１１）は、カスタマの電子カートに投入されている商品を、当該商品のショップごとに分類し、当該分類されたショップごとに送料を計算する。選択部（１２）は、送料が計算されたショップに対し、特典を適用することによる割引額が高くなる順に、特典を適用すべきショップを選択する。推奨部（１３）は、選択されたショップに特典を適用するようにカスタマ（Ｃ）に推奨する。
2016208039.tif 000002
【特許請求の範囲】
【請求項１】
インターネットを介して複数のショップが出店する電子市場を管理する管理装置であって、
カスタマの電子カートに投入されている商品を、当該商品のショップごとに分類し、当該分類されたショップごとに、特典を適用することによる割引額を計算する計算部と、
前記割引額が高くなる順に、前記特典を適用すべきショップを前記割引額が計算されたショップから選択する選択部と、
前記選択されたショップに前記特典を適用するように前記カスタマに推奨する推奨部と、
を備える管理装置。
【請求項２】
前記選択部は、前記カスタマに割り当てられた特典の数が、前記割引額が計算されたショップの数未満であるときに、前記特典を適用すべきショップを選択する、
請求項１に記載の管理装置。
【請求項３】
前記選択部は、前記分類されたショップのうち、前記割引額があらかじめ定められた額よりも高くなる前記ショップを、前記特典を適用すべきショップとして選択する、
請求項１または２に記載の管理装置。
【請求項４】
インターネットを介して複数のショップが出店する電子市場を管理する管理装置であって、
カスタマにより選択された商品を販売する少なくとも一つのショップを抽出する抽出部と、
前記抽出されたショップをソートしたリストを前記カスタマに提示する提示部と、
前記カスタマから、前記提示されたリストに含まれるショップのいずれかを選択した購入申込を受け付ける受付部と、を備え、
前記提示部は、前記カスタマが特典を保有している場合、前記特典を適用した場合の商品の価格に基づいて前記抽出されたショップをソートした適用済リストを提示し、
前記受付部は、前記適用済リストを介して前記購入申込がなされた場合、当該購入申込に、前記特典を適用する旨を既定値として指定する、
管理装置。
【請求項５】
前記提示部は、前記カスタマが特典を保有していない場合、または、前記特典を適用した後の商品の価格以外の順序に基づいてソートすべき旨の指示が前記カスタマからあった場合、前記特典を適用せずに前記抽出されたショップをソートした未適用リストを提示し、
前記受付部は、前記未適用リストを介して前記購入申込がなされた場合、当該購入申込に、前記特典を適用しない旨を既定値として指定する、
請求項４に記載の管理装置。
【請求項６】
インターネットを介して複数のショップが出店する電子市場を管理する管理装置による管理方法であって、
カスタマの電子カートに投入されている商品を、当該商品のショップごとに分類し、当該分類されたショップごとに、特典を適用することによる割引額を計算する計算ステップと、
前記割引額が高くなる順に、前記特典を適用すべきショップを前記割引額が計算されたショップから選択する選択ステップと、
前記選択されたショップに前記特典を適用するように前記カスタマに推奨する推奨ステップと、
を備える管理方法。
【請求項７】
インターネットを介して複数のショップが出店する電子市場を管理する管理装置による管理方法であって、
カスタマにより選択された商品を販売する少なくとも一つのショップを抽出する抽出ステップと、
前記抽出されたショップをソートしたリストを前記カスタマに提示する提示ステップと、
前記カスタマから、前記提示されたリストに含まれるショップのいずれかを選択した購入申込を受け付ける受付ステップと、を備え、
前記提示ステップでは、前記カスタマが特典を保有している場合、前記特典を適用した場合の商品の価格に基づいて前記抽出されたショップをソートした適用済リストを提示し、
前記受付ステップでは、前記適用済リストを介して前記購入申込がなされた場合、当該購入申込に、前記特典を適用する旨を既定値として指定する、
管理方法。
【請求項８】
インターネットを介して複数のショップが出店する電子市場を管理するコンピュータに、
カスタマの電子カートに投入されている商品を、当該商品のショップごとに分類し、当該分類されたショップごとに、特典を適用することによる割引額を計算する計算手順、
前記割引額が高くなる順に、前記特典を適用すべきショップを前記割引額が計算されたショップから選択する選択手順、
前記選択されたショップに前記特典を適用するように前記カスタマに推奨する推奨手順、
を実行させるプログラムを記録した非一時的な記録媒体。
【請求項９】
インターネットを介して複数のショップが出店する電子市場を管理するコンピュータに、
カスタマにより選択された商品を販売する少なくとも一つのショップを抽出する抽出手順、
前記抽出されたショップをソートしたリストを前記カスタマに提示する提示手順、
前記カスタマから、前記提示されたリストに含まれるショップのいずれかを選択した購入申込を受け付ける受付手順、を実行させ、
前記提示手順では、前記カスタマが特典を保有している場合、前記特典を適用した場合の商品の価格に基づいて前記抽出されたショップをソートした適用済リストを提示し、
前記受付手順では、前記適用済リストを介して前記購入申込がなされた場合、当該購入申込に、前記特典を適用する旨を既定値として指定する、
プログラムを記録した非一時的な記録媒体。
【請求項１０】
インターネットを介して複数のショップが出店する電子市場を管理するコンピュータに、
カスタマの電子カートに投入されている商品を、当該商品のショップごとに分類し、当該分類されたショップごとに、特典を適用することによる割引額を計算する計算手順、
前記割引額が高くなる順に、前記特典を適用すべきショップを前記割引額が計算されたショップから選択する選択手順、
前記選択されたショップに前記特典を適用するように前記カスタマに推奨する推奨手順、
を実行させるプログラム。
【請求項１１】
インターネットを介して複数のショップが出店する電子市場を管理するコンピュータに、
カスタマにより選択された商品を販売する少なくとも一つのショップを抽出する抽出手順、
前記抽出されたショップをソートしたリストを前記カスタマに提示する提示手順、
前記カスタマから、前記提示されたリストに含まれるショップのいずれかを選択した購入申込を受け付ける受付手順、を実行させ、
前記提示手順では、前記カスタマが特典を保有している場合、前記特典を適用した場合の商品の価格に基づいて前記抽出されたショップをソートした適用済リストを提示し、
前記受付手順では、前記適用済リストを介して前記購入申込がなされた場合、当該購入申込に、前記特典を適用する旨を既定値として指定する、
プログラム。
【発明の詳細な説明】
【技術分野】
【０００１】
本発明は、管理装置、管理方法、非一時的な記録媒体およびプログラムに関する。
【背景技術】
【０００２】
近年、インターネットを介して多くの仮想店舗が出店する、いわゆる電子市場が普及している。電子市場においては、各ショップが商品ごとに販売ページを作成して公開しており、カスタマは、この販売ページを通じて欲しい商品を購入することができる。【０００３】
このような電子市場は、カスタマにキャンペーンとして何らかの特典（ポイントの付与や、商品の送料を免除するなど）を提供することが可能である。カスタマに付与された特典は、のちにカスタマが利用しようとするときに呼び出され、購買に適用されることにより消費される。カスタマは、与えられた特典を消費することを目的として、電子市場において購買行動をとることがある。またカスタマは、保有する特典をより効率よく利用できる観点に基づいて、電子市場において利用するショップを選択することもある。【０００４】
カスタマが、利用を希望する事業サービスについて、付随する特典を容易に把握できるようにするための技術が存在する。例えば、特許文献１では、カスタマが希望する事業サービスについて、その事業サービスを利用することにより与えられるポイント・割引などのサービスの情報を提示するための技術を開示している。
【先行技術文献】
【特許文献】
【０００５】
【特許文献１】特開２００５−０４４１３７号公報
【発明の概要】
【発明が解決しようとする課題】
【０００６】
しかし、従来技術では、カスタマにとって、保有している特典をどのように利用した場合により効率がよくなるかが分かりにくいという課題があった。【０００７】
複数のショップが参加した電子市場においてカスタマに提供される特典は、ショップごとに条件や、使用による効果（割引額など）が異なるため、単純に比較することが難しい。例として、カスタマに、有効期限のある送料割引クーポン（購入された商品を配送する際に、商品とは別に要求される送料を割り引く特典を与えるもの）が付与されているケースで説明する。電子市場に参加するショップによって送料の取り扱いは異なり、電子市場には、（１）提示する商品価格とは別に送料を要求するショップ、（２）送料を含む価格を商品価格として提示しており、そのほかに送料を要求しないショップ、（３）購入する商品額が一定額を超えた場合には送料の負担をカスタマに要求しないショップなどが混在する。そのため、同じ商品を同じ価格で購入した場合であっても、ショップごとの送料の取り扱いが異なるために、送料割引クーポンによる割引額には違いが生じることになる。【０００８】
さらに、送料の取り扱いが同じ条件であっても、ショップが利用する配送業者の違い、あるいはショップの所在地が異なることによる料金体系の差異や、配送距離の違いなどによっても、送料の額に差異が生じることがある。こういったことも、送料割引クーポンによる割引額に違いを生じる要因となる。【０００９】
このように、送料割引クーポンに限っても、ショップによって割引額が異なるため、特典を利用した場合の割引額を多くのショップについて算出し比較することが難しい。現状では、カスタマは、購入処理の終盤に明らかになる支払総額を見るまで、特典による割引額がどの程度になるか把握することができない。カスタマには、特典をどのショップで用いた場合に割引額が大きくなるか（すなわちどのショップで特典を使用するのが適切であるか）を知りたいというニーズが存在する。【００１０】
特許文献１が示す技術では、カスタマがこれから利用しようとするサービスにおいて、そのサービスを利用した場合にカスタマに与えられる特典を表示する。しかし、すでにカスタマに与えられている特典を、どのように使用することがよいかをカスタマに提示することはできない。【００１１】
本発明は、このような問題点に鑑みてなされたものであり、その目的とするところは、カスタマが保有する特典を適用すべきか否かを適切に判断できるようにサポートする管理装置、管理方法、非一時的な記録媒体およびプログラムを実現することである。
【課題を解決するための手段】
【００１２】
上記目的を達成するため、本発明の第１の観点にかかる管理装置は、
インターネットを介して複数のショップが出店する電子市場を管理する管理装置であって、
カスタマの電子カートに投入されている商品を、当該商品のショップごとに分類し、当該分類されたショップごとに、特典を適用することによる割引額を計算する計算部と、
前記割引額が高くなる順に、前記特典を適用すべきショップを前記割引額が計算されたショップから選択する選択部と、
前記選択されたショップに前記特典を適用するように前記カスタマに推奨する推奨部と、
を備えることを特徴とする。【００１３】
また、本発明の第２の観点にかかる管理装置は、
インターネットを介して複数のショップが出店する電子市場を管理する管理装置であって、
カスタマにより選択された商品を販売する少なくとも一つのショップを抽出する抽出部と、
前記抽出されたショップをソートしたリストを前記カスタマに提示する提示部と、
前記カスタマから、前記提示されたリストに含まれるショップのいずれかを選択した購入申込を受け付ける受付部と、を備え、
前記提示部は、前記カスタマが特典を保有している場合、前記特典を適用した場合の商品の価格に基づいて前記抽出されたショップをソートした適用済リストを提示し、
前記受付部は、前記適用済リストを介して前記購入申込がなされた場合、当該購入申込に、前記特典を適用する旨を既定値として指定する、
ことを特徴とする。【００１４】
上記目的を達成するため、本発明の第３の観点にかかる管理方法は、
インターネットを介して複数のショップが出店する電子市場を管理する管理装置による管理方法であって、
カスタマの電子カートに投入されている商品を、当該商品のショップごとに分類し、当該分類されたショップごとに、特典を適用することによる割引額を計算する計算ステップと、
前記割引額が高くなる順に、前記特典を適用すべきショップを前記割引額が計算されたショップから選択する選択ステップと、
前記選択されたショップに前記特典を適用するように前記カスタマに推奨する推奨ステップと、
を備えることを特徴とする。【００１５】
上記目的を達成するため、本発明の第４の観点にかかる管理方法は、
インターネットを介して複数のショップが出店する電子市場を管理する管理装置による管理方法であって、
カスタマにより選択された商品を販売する少なくとも一つのショップを抽出する抽出ステップと、
前記抽出されたショップをソートしたリストを前記カスタマに提示する提示ステップと、
前記カスタマから、前記提示されたリストに含まれるショップのいずれかを選択した購入申込を受け付ける受付ステップと、を備え、
前記提示ステップでは、前記カスタマが特典を保有している場合、前記特典を適用した場合の商品の価格に基づいて前記抽出されたショップをソートした適用済リストを提示し、
前記受付ステップでは、前記適用済リストを介して前記購入申込がなされた場合、当該購入申込に、前記特典を適用する旨を既定値として指定する、
ことを特徴とする。【００１６】
上記目的を達成するため、本発明の第５の観点にかかる非一時的な記録媒体は、
インターネットを介して複数のショップが出店する電子市場を管理するコンピュータに、
カスタマの電子カートに投入されている商品を、当該商品のショップごとに分類し、当該分類されたショップごとに、特典を適用することによる割引額を計算する計算手順、
前記割引額が高くなる順に、前記特典を適用すべきショップを前記割引額が計算されたショップから選択する選択手順、
前記選択されたショップに前記特典を適用するように前記カスタマに推奨する推奨手順、
を実行させることを特徴とするプログラムを記録する。【００１７】
上記目的を達成するため、本発明の第６の観点にかかる非一時的な記録媒体は、
インターネットを介して複数のショップが出店する電子市場を管理するコンピュータに、
カスタマにより選択された商品を販売する少なくとも一つのショップを抽出する抽出手順、
前記抽出されたショップをソートしたリストを前記カスタマに提示する提示手順、
前記カスタマから、前記提示されたリストに含まれるショップのいずれかを選択した購入申込を受け付ける受付手順、を実行させ、
前記提示手順では、前記カスタマが特典を保有している場合、前記特典を適用した場合の商品の価格に基づいて前記抽出されたショップをソートした適用済リストを提示し、
前記受付手順では、前記適用済リストを介して前記購入申込がなされた場合、当該購入申込に、前記特典を適用する旨を既定値として指定する、
ことを特徴とするプログラムを記録する。【００１８】
上記目的を達成するため、本発明の第７の観点にかかるプログラムは、
インターネットを介して複数のショップが出店する電子市場を管理するコンピュータに、
カスタマの電子カートに投入されている商品を、当該商品のショップごとに分類し、当該分類されたショップごとに、特典を適用することによる割引額を計算する計算手順、
前記割引額が高くなる順に、前記特典を適用すべきショップを前記割引額が計算されたショップから選択する選択手順、
前記選択されたショップに前記特典を適用するように前記カスタマに推奨する推奨手順、
を実行させることを特徴とする。【００１９】
上記目的を達成するため、本発明の第８の観点にかかるプログラムは、
インターネットを介して複数のショップが出店する電子市場を管理するコンピュータに、
カスタマにより選択された商品を販売する少なくとも一つのショップを抽出する抽出手順、
前記抽出されたショップをソートしたリストを前記カスタマに提示する提示手順、
前記カスタマから、前記提示されたリストに含まれるショップのいずれかを選択した購入申込を受け付ける受付手順、を実行させ、
前記提示手順では、前記カスタマが特典を保有している場合、前記特典を適用した場合の商品の価格に基づいて前記抽出されたショップをソートした適用済リストを提示し、
前記受付手順では、前記適用済リストを介して前記購入申込がなされた場合、当該購入申込に、前記特典を適用する旨を既定値として指定する、
ことを特徴とする。
【発明の効果】
【００２０】
本発明によれば、カスタマが保有する特典を適用すべきか否かを適切に判断できるようにサポートすることができる。
【図面の簡単な説明】
【００２１】
【図１】第１の実施形態にかかる管理装置の機能構成を示すブロック図である。
【図２】管理装置のハードウェア構成を示すブロック図である。
【図３】第１の実施形態において記憶装置に記録されているデータ内容を示す図である。
【図４】第１の実施形態における電子カートデータの内容を示す図である。
【図５】電子カートデータが表示された画面の一例を示す図である。
【図６】推奨表示処理のフローチャートである。
【図７】推奨表示画面の一例を示す図である。
【図８】第２の実施形態にかかる管理装置の機能構成を示すブロック図である。
【図９】第２の実施形態において記憶装置に記録されているデータ内容を示す図である。
【図１０】購入画面表示処理のフローチャートである。
【図１１】抽出されたショップのリストが表示された画面の一例を示す図である。
【図１２】購入画面の一例を示す図である。
【発明を実施するための形態】
【００２２】
以下、本発明の実施形態について添付図面を参照しつつ説明する。
【００２３】
＜第１の実施形態＞
本発明の実施形態にかかる管理装置１００は、インターネットを介して複数のショップが出店する電子市場としての機能を提供する情報処理装置である。管理装置１００は、ショップの担当者が作成した、商品に関するウェブページ（以下、商品ページ）に関するデータを記録しており、インターネット等のネットワークを介してカスタマから要求があると、その要求に応じて商品ページに関する情報を提供する。また、管理装置１００は、商品ページを閲覧したカスタマが、当該商品ページを介してその商品に関する注文を入力すると、その注文を受け付け、受け付けた注文をショップに伝達する。他にも、管理装置１００は、一般的な電子市場の機能を提供する情報処理装置が有する機能を一通り備えるものとする。
【００２４】
管理装置１００は、電子カート機能を備え、カスタマの操作に基づき、カスタマが購入しようとする商品に関する情報を、リスト化されたデータ（電子カートデータ２１）として記録する。管理装置１００は、個々のカスタマに対応付けられた電子カートデータ２１を保有する。電子カートデータ２１には、カスタマが購入しようとする商品に関する情報や、その商品をカスタマに販売するショップに関する情報、購入しようとする個数などのデータが記録される。
【００２５】
カスタマは、電子市場を介して商品を購入しようとする場合、ショップによる商品ページを介し、購入しようとする商品を一旦電子カートに入れる操作を行う。これにより、当該カスタマの電子カートデータ２１に、購入しようとする商品およびその個数、販売元となるショップに関する情報などが記録される。のちに、カスタマが電子カートに入っている商品（すなわち電子カートデータ２１に商品情報が記録されている商品）を購入する処理を行うと、管理装置１００は、電子カートデータ２１に記録されている内容を、注文情報としてショップに伝達する。これにより、カスタマは、ショップから希望する商品を購入することができる。購入処理によりショップに注文が伝達されると、注文された商品について、電子カートデータ２１はクリアされる。
【００２６】
さらに、管理装置１００は、電子市場からカスタマに付与された特典を管理する機能を備える。管理装置１００は、カスタマが保有する特典（クーポン）をユーザ保有特典データ２２として記録する。例えば、電子市場からカスタマに有効期限のある送料割引クーポンが付与された場合、管理装置１００は、その送料割引クーポンに関する情報（クーポンのＩＤ、使用条件、使用可能期間などに関する情報）を、そのカスタマに対応付けられたユーザ保有特典データ２２に記録する。カスタマは、電子市場で商品を購入する際に、購入手続きにおいて保有する特典を使用することができる。例えば、カスタマが保有する送料割引クーポンを購入手続きで使用した場合、ショップは、カスタマへの請求金額からその購入手続きにより購入された商品をカスタマに発送する際の送料を割り引く。カスタマが保有する特典を使用した場合、管理装置１００は、当該特典に対応するデータをユーザ保有特典データ２２から抹消する。
【００２７】
なお、本実施形態では、カスタマに付与される特典として、購入商品の送料を割り引く特典を例として取り扱う。しかし本発明の範囲はこれに限られず、特典として任意のものが可能である。例えば、次回以降の購入における支払金額に充当することができるポイントを、購入金額に応じてカスタマに提供するポイント付与特典や、通常提供されるポイントをさらに一定の割合で増加させるポイント増加特典など、多岐にわたる特典について本発明を適用することができる。
【００２８】
本実施形態にかかる管理装置１００は、図１に示すように、機能面では、計算部１１、選択部１２、推奨部１３を備える。
【００２９】
計算部１１は、カスタマＣの電子カートに投入されている商品を、そのショップごとに分類し、分類されたショップごとに送料を計算する。計算部１１は、カスタマＣの電子カートデータ２１を参照し、記録されている商品を、その販売元となるショップごとに分類する。その後、ショップごとに電子カートに投入されている商品を集約し、それらを発送するために必要な送料を算出し、記録する。
【００３０】
選択部１２は、送料が計算されたショップに対し、特典を適用することによる割引額が高くなる順に、特典を適用すべきショップを選択する。カスタマＣが送料割引クーポンを使用することにより得られる割引額は、計算部１１により計算された送料と同額となる。選択部１２は、計算部１１により分類された各ショップを、計算部１１により計算された送料が高い順にソートし、カスタマＣが保有する送料割引クーポンの数だけ高い順に選択する。
【００３１】
推奨部１３は、選択されたショップに特典を適用するよう、カスタマＣに推奨する。推奨部１３は、選択部１２によって選択されたショップと、そうでないショップとを明確にわかる形でカスタマに提示する。
【００３２】
管理装置１００は、ここまで述べた各機能部を有することにより、カスタマが保有する特典（送料割引クーポン）を、どのショップにおける商品購入に利用すべきかをカスタマに推奨することができる。そのため、管理装置１００によれば、カスタマは、保有する特典をどのショップにおける商品購入に適用するのが望ましいか判断することが可能となる。
【００３３】
本実施形態にかかる管理装置１００は、図２に示すように、ハードウェアとして、ＣＰＵ（Central Processing Unit）１１０、ＲＯＭ（Read Only Memory）１１１、ＲＡＭ（Random Access Memory）１１２、記憶装置１２０、操作デバイス１３０、ディスプレイ１４０、ネットワークインターフェース１５０を備え、これらが内部バス１９０を介して互いに接続された構成を有する。
【００３４】
ＣＰＵ１１０は、ＲＯＭ１１１、ＲＡＭ１１２および記憶装置１２０が記憶するプログラムを実行することにより、管理装置１００の全体の動作を制御する。ＣＰＵ１１０は、必要に応じてＲＯＭ１１１、ＲＡＭ１１２、記憶装置１２０から実行するプログラムを読み出し、また必要に応じてＲＡＭ１１２、記憶装置１２０上にデータを保存する。
【００３５】
ＣＰＵ１１０は、上述した各機能を実現する要素（計算部１１、選択部１２、推奨部１３）として機能する。詳しくは後述する。
【００３６】
ＲＯＭ１１１は、ＣＰＵ１１０が稼動する上で必要となるプログラム、例えば管理装置１００の起動時にＣＰＵ１１０が最初に実行するプログラム等を記憶する。
【００３７】
ＲＡＭ１１２は、ＣＰＵ１１０がプログラムを実行する際にワークエリアとして機能する。すなわち、ＲＡＭ１１２は、ＣＰＵ１１０が実行中のプログラム、あるいは、ＣＰＵ１１０がプログラムを実行する上で必要となる一時的なデータを記録し、ＣＰＵ１１０からの要求に応じてＣＰＵ１１０に提供する。
【００３８】
記憶装置１２０は、ハードディスクドライブやフラッシュメモリ等の記憶装置を備え、管理装置１００が稼動するために必要なデータを記憶する。
【００３９】
記憶装置１２０は、例えば、ＣＰＵ１１０が実行するためのプログラム、あるいはＣＰＵ１１０がプログラムを実行する上で参照するデータを記録し、ＣＰＵ１１０からの要求に応じてＣＰＵ１１０に提供する。また、記憶装置１２０は、ＣＰＵ１１０からの要求に応じ、ＣＰＵ１１０から出力されたデータを記録する。
【００４０】
操作デバイス１３０は、キーボードやマウス等を備え、操作者による入力操作を受け付けてＣＰＵ１１０に伝達する。
【００４１】
ディスプレイ１４０は、液晶ディスプレイ等を備え、管理装置１００が操作者に提示すべき情報を表示する。
【００４２】
もっとも、管理装置１００が操作デバイス１３０およびディスプレイ１４０を備えている必要はなく、例えば後述するネットワークインターフェース１５０を介して、操作者からの操作入力を受けつけ、あるいは操作者に情報を提示することができるなら、管理装置１００は操作デバイス１３０あるいはディスプレイ１４０を備えていなくともよい。
【００４３】
ネットワークインターフェース１５０は、管理装置１００をネットワーク（図示せず）に接続する。管理装置１００が、ネットワークを介して他機器に情報を送信し、あるいは他機器から情報を受信する際、ネットワークインターフェース１５０は、ＣＰＵ１１０から後述する内部バス１９０を介して受信した情報を、ネットワークを介して他機器へ送信し、また他機器からネットワークを介して受信した情報を、内部バス１９０を介してＣＰＵ１１０へ送信する。特に、管理装置１００は、ネットワークを介してカスタマの端末装置と接続されており、端末装置から送信される操作内容を受け付ける。また、管理装置１００は、カスタマの端末装置に、画面に表示する情報（商品ページを示す情報や、特典を適用することが推奨されるショップを示す情報など）を送信する。
【００４４】
ネットワークインターフェース１５０は、例えばケーブルを介して管理装置１００をネットワークに接続してもよいし、あるいは無線通信により管理装置１００をネットワークに接続してもよい。ケーブルによる場合も無線通信による場合も、その通信規格は任意である。
【００４５】
内部バス１９０は、管理装置１００内の構成要素（ＣＰＵ１１０、ＲＯＭ１１１、ＲＡＭ１１２、記憶装置１２０、操作デバイス１３０、ディスプレイ１４０、ネットワークインターフェース１５０等）間での情報のやり取りを中継する。例えば、ＣＰＵ１１０が必要なデータを記憶装置１２０から読み出すとき、ＣＰＵ１１０は、内部バス１９０を介して記憶装置１２０からデータを読み出す。
【００４６】
本実施形態にかかる管理装置１００は、以上の構成により、一般的な電子市場管理装置が提供する機能、例えば、インターネットを介してカスタマに商品ページを閲覧させる機能、および、カスタマが入力したクエリにマッチする商品ページを検索し、ヒットした商品ページをカスタマに提示する機能、商品ページを介してカスタマからの商品を購入するための注文を受け付ける機能等を実現する。管理装置１００は、インターネットを介し、カスタマの端末装置から送信される各種要求（商品ページの参照要求や、商品の購入申し込みの処理要求など）を受け付ける。管理装置１００は、受け付けた処理要求を実行し、その結果となる情報を、カスタマの端末装置に送信する。カスタマの端末装置は、管理装置１００から送信された情報を受信し、受信したデータを液晶ディスプレイなどの表示装置に表示することにより、カスタマに情報を提示する。すなわち、管理装置１００は、カスタマからの要求に応じたデータを端末装置に送信することにより、カスタマに提示することができる。
【００４７】
本実施形態にかかる管理装置１００において、記憶装置１２０は、図３に示す各データを記録する。すなわち、記憶装置１２０は、電子カートデータ２１、ユーザ保有特典データ２２、各ショップ送料データ２３、および電子市場データ２４などを記録する。
【００４８】
電子カートデータ２１は、電子市場のカスタマごとに記録されるデータであり、そのカスタマが電子カートに投入した商品に関する情報を含む。具体的な内容としては、図４に示すように、電子カートデータ２１は、カート内番号Ｉ０１、商品ＩＤＩ０２、購入個数Ｉ０３、商品単価Ｉ０４、販売元ショップＩＤＩ０５、カート投入日時Ｉ０６などを含む。管理装置１００は、カスタマが商品ページにおいて商品を電子カートに投入する操作をすると、その商品ページの表示に従い、商品の情報を示すレコード（カート内番号Ｉ０１、商品ＩＤＩ０２、購入個数Ｉ０３、商品単価Ｉ０４、販売元ショップＩＤＩ０５、カート投入日時Ｉ０６といった情報を連結したもの）を作成し、電子カートデータ２１に追加する。具体的には、カスタマが商品ページにおいて商品を電子カートに投入する操作をすると、その商品ページにおいて表示されている商品の商品ＩＤ、カスタマに指定された購入個数、商品ページに設定された商品単価、商品ページの作成者である販売元ショップなどの情報を記憶装置１２０から読み出し、レコードを生成する。管理装置１００は、生成したレコードに、カート内での位置を示す情報（カート内番号）と、投入操作が行われた日時を示す情報とを連結したうえで、電子カートデータ２１に追加する。
【００４９】
ユーザ保有特典データ２２は、カスタマごとに記録されるデータであり、そのカスタマに付与されまだ使用されていない、かつまだ有効期限を経過していない特典に関する情報を含む。管理装置１００は、カスタマに特典が付与されると、ユーザ保有特典データ２２に付与された特典の情報を記録する。また、カスタマが保有する特典を使用すると、あるいは有効期限の設定された特典の有効期限が経過すると、管理装置１００は、その特典に関する情報を抹消する。
【００５０】
各ショップ送料データ２３は、電子市場に参加している各ショップにおいて、送料がどのように設定されているかを示すデータである。ショップによって送料の取り扱いが異なるため、各ショップ送料データ２３には、そのショップにおいて商品を購入する際にどのように送料が算出されるかを示すデータが記録される。例えば、一回の購入申し込みで購入される商品のサイズや重量を集計し、それに応じた送料の負担をカスタマに要求するショップについては、各ショップ送料データ２３に、送料を算出するための数式などの情報が記録される。また、もとより送料込みの商品価格により商品を販売しており、購入手続きで追加の送料を要求しないショップについては、各ショップ送料データ２３に、送料を要求しないことを示す情報が記録される。さらに、一回の購入申し込みで購入される商品の価格総額が一定の額を超える場合にはカスタマに送料負担を要求しないショップについては、各ショップ送料データ２３に、購入総額が一定の額を超える場合に送料を要求しない条件を示す情報が記録される。
【００５１】
ほかに記憶装置１２０には、電子市場データ２４が記録される。電子市場データ２４は、管理装置１００が電子市場の機能を提供するために必要なデータ一式を含むものであり、例えばウェブサーバとして機能するためのプログラムや、ショップにより作成された商品ページを示すデータ、またカスタマの情報（氏名および住所、電子メールのアドレスや会員ＩＤなど）やショップの情報（連絡先電話番号や住所、責任者氏名など）を含むデータベースなどを含む。管理装置１００は、必要に応じて電子市場データ２４を参照することにより、電子市場としての機能を実現する。
【００５２】
管理装置１００による電子市場においてカスタマが商品を購入する際は、上述した通り、カスタマはいったん電子カートに購入しようという商品を投入し、のちに電子カートに入っている商品について購入手続きを行う。カスタマが電子カートの内容を表示することを要求する操作を行った場合、管理装置１００は、カスタマの端末装置に、電子カート内容表示画面のデータを送信する。カスタマは、電子カート内容表示画面を確認し、購入対象の商品や販売元ショップ、購入価格などを検証することができる。
【００５３】
図５に示される例においては、電子カートに投入されている商品のうち、販売元ショップがショップＡＢＣである商品が枠Ｄ１０に提示されている。枠Ｄ１０の中には、購入しようとする商品ごとに、枠Ｄ１１および枠Ｄ１２が設定されており、それぞれ対象商品に関する入力欄および表示欄が設けられている。
【００５４】
枠Ｄ１１には、対象商品を購入する際にチェックを入力すべきチェックボックスＤ１１ａ、対象商品の商品情報を表示する表示欄Ｄ１１ｂ、対象商品の単価を示す表示欄Ｄ１１ｃ、購入個数を示す表示欄Ｄ１１ｄ、および、対象商品を電子カートから削除するときにクリックされるボタンＤ１１ｅなどが設けられている。枠Ｄ１２は、枠Ｄ１１と同じショップから購入される別の商品に関する枠であり、枠Ｄ１１とそれぞれ同様の入力欄および表示欄が設けられている。
【００５５】
また、枠Ｄ２０は、枠Ｄ１０のショップ（ショップＡＢＣ）とは別のショップ（ショップＢＣＤ）が販売元となる商品についての枠である。ショップは別であるが、枠Ｄ２０にも、枠Ｄ１０と同様の入力欄および表示欄が設けられている。
【００５６】
さらに、電子カート内容表示画面には、特典推奨表示ボタンＤ９８と購入ボタンＤ９９が設けられている。カスタマが、購入しようとする商品のチェックボックス（チェックボックスＤ１１ａなど）にチェックを入れたうえで購入ボタンＤ９９をクリックすると、管理装置１００は、その操作を当該商品に関する購入申込として受け付け、ショップに通知する。
【００５７】
管理装置１００は、電子カート内容表示画面の特典推奨表示ボタンＤ９８がクリックされると、図６に示す推奨表示処理を実行する。この推奨表示処理を実行することにより、管理装置１００は、カスタマに、特典を使用する場合の割引額が比較的大きくなるショップを提示することにより、特典を適用すべきショップをカスタマに推奨するものである。
【００５８】
管理装置１００は、推奨表示処理の最初に、電子カートに入っている商品のデータを読み出す（ステップＳ１１０）。具体的には、管理装置１００は、電子カートデータ２１の各レコードを読み出す。
【００５９】
次に管理装置１００は、電子カートに入っている商品を、販売元ショップごとに分類する（ステップＳ１２０）。具体的には、ステップＳ１１０で読み出した各レコードの、販売元ショップＩＤＩ０５に記録されている情報を突合し、販売元ショップＩＤＩ０５に記録されている情報が同じレコードは、同じグループに属するように分類する。この結果、同じショップが販売元となる商品に関するレコードが一つにまとめられたグループが生成される。
【００６０】
次に管理装置１００は、分類されたショップごとの送料を計算する（ステップＳ１３０）。管理装置１００は、ステップＳ１２０で生成されたグループごとに、そのショップが販売元となる商品の情報（サイズや重量、個数など）と、各ショップ送料データ２３とに基づいて送料を算出する。
【００６１】
次に管理装置１００は、ショップごとに、特典を適用した場合の割引額を算出する（ステップＳ１４０）。ここまで述べたように、特典が送料割引である場合、管理装置１００は、ステップＳ１３０で算出した送料を、そのショップにおける割引額とする。ステップＳ１１０からステップＳ１４０の処理を行うことにより、管理装置１００は、計算部１１としての機能を提供する。
【００６２】
次に管理装置１００は、送料が計算されたショップに対し、割引額の高くなる順に、特典を適用すべきショップを選択する（ステップＳ１５０）。管理装置１００は、ステップＳ１３０で送料が計算されたショップから、ステップＳ１４０で算出された割引額が高くなる順に、カスタマが保有する送料割引クーポンの数だけ選択する。ステップＳ１５０の処理を行うことにより、管理装置１００は、選択部１２としての機能を提供する。
【００６３】
次に管理装置１００は、選択したショップに特典を適用するようにカスタマに推奨する（ステップＳ１６０）。管理装置１００は、カスタマの端末装置に、選択したショップに特典を適用することを推奨する画面を表示させる。ステップＳ１６０の処理を行うことにより、管理装置１００は、推奨部１３としての機能を提供する。ステップＳ１６０を完了すると、管理装置１００は、推奨表示処理を終了する。
【００６４】
推奨表示処理により、カスタマの端末装置には、図７に示すような推奨表示画面が表示される。すなわち推奨表示画面では、ショップＡＢＣに関する表示枠Ｅ１０やショップＢＣＤに関する表示枠Ｅ２０のように、ショップごとの購入内容を示す表示枠が表示される。表示枠Ｅ１０の中には、特典適用チェックボックスＥ１１、購入金額枠Ｅ１２、送料枠Ｅ１３、特典適用による割引額枠Ｅ１４などがあり、それぞれ今回の購入に関する情報を表示する。表示枠Ｅ２０も同様の表示枠を備え、それぞれ対応する情報を表示する。
【００６５】
管理装置１００は、カスタマにとって特典を適用することが望ましいショップでの購入内容について、特典適用チェックボックスにチェックを入れた状態で表示する。例えば、図７においては、ショップＡＢＣが推奨表示処理のステップＳ１５０で選択されたショップであったために、特典適用チェックボックスＥ１１はチェックが入った状態で表示されている。逆に、ショップＢＣＤは推奨表示処理のステップＳ１５０で選択されたショップではなかったため、特典適用チェックボックスＥ２１にはチェックが入っていない。このように、カスタマは、推奨表示画面を参照することにより、保有する特典をどのショップでの商品購入に適用すべきか容易に判別できるようになる。
【００６６】
さらに、特典適用チェックボックスＥ１１およびＥ２１は、単に管理装置１００による選択結果を表示するのみならず、カスタマからの操作によりチェックを外したり入れたりすることが可能な入力欄を兼ねていてもよい。すなわち、推奨表示処理によりチェックを入れた状態で表示されたショップ（ショップＡＢＣ）について、カスタマが特典を適用することを望まない場合、カスタマは特典適用チェックボックスＥ１１をクリックすることにより、チェックを外すことができる。逆に、チェックを入れない状態で表示されたショップ（ショップＢＣＤ）についてカスタマが特典を適用することを望む場合、カスタマは特典適用チェックボックスＥ２１をクリックすることにより、チェックを入れることができる。その後、カスタマは、特典適用ボタンＥ９９をクリックすることで、特典を適用するショップを変更することができる。
【００６７】
このように、管理装置１００は、カスタマによる購入手続きにおいて、カスタマが保有する特典を適用すべきショップを選択し、カスタマに推奨することができる。そのため、カスタマは、保有する特典をどのショップに適用すべきか容易に判断できるようになる。
【００６８】
ここまででは、管理装置１００は、カスタマが送料割引クーポンの特典を保有する場合について説明した。しかし、特典の種類は送料割引に限定されない。例えば、商品購入額の一定割合をポイント付与する特典や、商品購入額に応じて販売促進の品やサービスチケットを無料で提供する特典などについても、本実施形態の管理装置１００を用いて適用すべきショップを選択し推奨できる。
【００６９】
管理装置１００は、カスタマが保有する特典の数と、推奨表示処理のステップＳ１２０で分類されたショップの数とを比較し、特典の数がショップの数未満であるときに、特典を適用すべきショップを選択するものであってもよい。特典の数がショップの数以上の場合は、カスタマがすべてのショップでの購入に特典を適用することができるため、このような場合には管理装置１００はショップの選択と推奨とを行わないようにしてもよい。
【００７０】
また、ここまでの説明においては、管理装置１００は、割引額が高い順にショップを選択しており、他の条件は課されない。しかし、分類されたショップのいずれにおいても割引額が低価格であった場合、他ショップとの対比では割引額が高いショップであっても、割引額が低く、特典を使用することがカスタマの利益にそぐわないケースも生じうる。そのため、管理装置１００は、分類されたショップのうち、割引額があらかじめ定められた額よりも高くなるショップから、割引額が高い順にショップを選択してカスタマに推奨するものであってもよい。このようにすることで、よりカスタマにとって望ましい形で、特典を適用すべきショップを推奨することができる。
【００７１】
＜第２の実施形態＞
本実施形態にかかる管理装置２００は、実施形態１にかかる管理装置１００同様、インターネットを介して複数のショップが出店する電子市場としての機能を提供する情報処理装置である。管理装置２００も、管理装置１００同様のハードウェア構成を備え、一般的な電子市場の機能を提供する情報処理装置が有する機能を一通り備えるものとする。
【００７２】
管理装置２００は、カスタマが電子市場を介してある商品を購入しようとする際に、その商品を取り扱っている複数のショップをリスト化してカスタマに提示する。その際、管理装置２００は、カスタマが保有する特典が適用された商品価格に基づいてショップをソートしたリスト（適用済リスト）をカスタマに提示する機能を有する。カスタマが、適用済リストを見てショップを選択し、購入申し込みを行う場合、管理装置２００は、その購入申し込みにおいては、特典が適用される旨を既定値として取り扱う。すなわち、特典が適用された後の商品価格をもとにショップを選択したカスタマには、管理装置２００は、特典を適用しやすい環境を提供し、保有する特典を適用すべきか否かを適切に推奨するものである。
【００７３】
管理装置２００は、ハードウェア構成として、実施形態１にかかる管理装置１００と同様の構成を備えるものであり、その詳細については説明を割愛する。
【００７４】
管理装置２００は、機能面では、図８に示すように、抽出部３１、提示部３２、受付部３３を備える。
【００７５】
抽出部３１は、カスタマＣにより選択された商品を販売する少なくとも一つのショップを抽出する。抽出部３１は、カスタマＣから商品を扱っているショップを表示する要求を受け付けると、その商品を示す情報（商品ＩＤなど）をもとに電子市場データ２４を検索し、当該商品を扱っているショップを抽出する。
【００７６】
提示部３２は、抽出されたショップをソートしたリストをカスタマＣに提示する。提示部３２は、抽出されたショップを、例えば選択された商品に付けられた商品価格、あるいはカスタマＣにより指定された条件などに基づいてソートしてリストを生成する。提示部３２は、生成したリストを示すデータを、インターネットを介してカスタマＣの端末装置に送信する。カスタマＣの端末装置が、リストを示すデータを表示することにより、リストがカスタマＣに提示される。
【００７７】
提示部３２は、カスタマＣが特典を保有している場合、その特典を適用した場合の商品の価格（特典適用済み価格）に基づいて、抽出されたショップをソートすることにより、適用済リストを生成する機能を有する。ショップによって、特典を使用した場合の割引額には差異がありうるため、ある商品に同じ商品価格を設定するショップであっても、特典適用済み価格には差異が生じる。提示部３２は、ショップにより設定された商品の価格から、そのショップでの商品購入に対し特典を適用した場合の割引額を差し引くことにより、各ショップの特典適用済み価格を算出する。提示部３２は、抽出されたショップを、各ショップの特典適用済み価格に基づいてソートして適用済リストを生成し、カスタマＣに提示する。
【００７８】
受付部３３は、カスタマＣから、提示されたリストに含まれるショップのいずれかを選択した購入申込を受け付ける。受付部３３は、カスタマＣが、提示されたリストを介して一つのショップを選択し、そのショップから対象商品を購入する操作を行った場合、その操作内容を購入申込として受け付ける。管理装置２００は、受付部３３が受け付けた購入申込を、のちにショップに注文として伝達する。
【００７９】
受付部３３は、購入申込の受け付けにあたり、提示部３２が提示したリストが適用済リストであったか否かを検証する。提示部３２が適用済リストを提示し、カスタマＣが適用済リストからショップを選択していた場合、当該購入申込に、この特典を適用する旨を既定値として指定する。
【００８０】
管理装置２００は、ここまで述べた各機能部を有することにより、カスタマが適用済リストを介して購入申込をした場合、その購入申込においては特典が適用される旨を既定値として指定する。そのため、カスタマは、特典が適用された場合の情報をもとに選んだショップから、特典を適用しないまま商品を購入してしまうことを防ぐことができる。そのため、管理装置２００によれば、カスタマは保有する特典を適用すべきか否かを適切に指定することができる。
【００８１】
管理装置２００は、記憶装置２２０に、図９に示す各データを記録する。すなわち、管理装置２００は、記憶装置２２０に、電子市場データ２４、抽出ショップリスト２５、適用済リスト表示フラグ２６などを記録する。ほかに、実施形態１にかかる管理装置１００と同様に、電子カートデータ２１などを備えるものであってもよい。電子市場データ２４は、実施形態１と同様に、一般的な電子市場としての機能を提供するために必要なデータである。
【００８２】
抽出ショップリスト２５は、抽出部３１により抽出されたショップが記録されたデータである。すなわち、抽出部３１は、電子市場データ２４から、カスタマが選択した商品を扱うショップを抽出し、抽出ショップリスト２５に記録する。
【００８３】
適用済リスト表示フラグ２６は、提示部３２がカスタマに提示したリストが適用済リストであるか否かを示す情報を記録したデータである。すなわち、提示部３２は、適用済リストをカスタマに提示すると、適用済リスト表示フラグ２６にオンを記録する。また提示部３２は、適用済リストではないリストをカスタマに提示すると、適用済リスト表示フラグ２６にオフを記録する。
【００８４】
管理装置２００は、図１０に示す購入画面表示処理を行うことにより、カスタマからの購入申込を受け付ける。管理装置２００は、カスタマが、端末装置を介して電子市場で商品を選択すると、それをトリガーに購入画面表示処理を開始する。
【００８５】
購入画面表示処理の最初に、管理装置２００は、カスタマが選択した商品を扱うショップを抽出する（ステップＳ２１０）。管理装置２００は、電子市場データ２４を検索し、カスタマが選択した商品を取り扱っているショップを抽出し、抽出ショップリスト２５に記録する。ステップＳ２１０の処理を行うことにより、管理装置２００は、抽出部３１としての機能を提供する。
【００８６】
次に管理装置２００は、カスタマが特典を保有しているか否かを判定する（ステップＳ２２０）。管理装置２００は、電子市場データ２４またはユーザ保有特典データ２２などを参照し、カスタマが特典を保有していることを示すデータが記録されているか否かを判定する。
【００８７】
カスタマが特典を保有していると判定した場合（ステップＳ２２０：ＹＥＳ）、管理装置２００は、抽出された各ショップについて、特典を適用した場合の価格を算出する（ステップＳ２３０）。管理装置２００は、カスタマが保有している特典を、各ショップでその商品を購入する際に使用した場合の割引額を算出する。管理装置２００は、その商品に各ショップが付けた商品価格から、算出した割引額を引くことにより、特典を適用した場合の価格を算出する。
【００８８】
次に管理装置２００は、抽出されたショップを、特典を適用した場合の価格によりソートする（ステップＳ２４０）。管理装置２００は、抽出ショップリスト２５に記録されているショップを、各ショップについてステップＳ２３０で算出した価格に基づいてソートすることにより、適用済リストを生成する。
【００８９】
次に管理装置２００は、ソートされたリストをカスタマに提示する（ステップＳ２５０）。管理装置２００は、ステップＳ２４０で生成した適用済リストの内容を示すデータをカスタマの端末装置に送信し、表示させる。また、これに伴い、管理装置２００は、適用済リスト表示フラグ２６にオンを記録する。ステップＳ２４０およびステップＳ２５０の処理を行うことにより、管理装置２００は、提示部３２としての機能を提供する。
【００９０】
次に管理装置２００は、カスタマからのショップ選択を受け付ける（ステップＳ２６０）。管理装置２００は、カスタマの端末装置から、カスタマが適用済リストを介して選択したショップを示す情報を受信する。ステップＳ２６０の処理を行うことにより、管理装置２００は、受付部３３としての機能を提供する。
【００９１】
次に管理装置２００は、購入画面を表示する（ステップＳ２７０）。管理装置２００は、ステップＳ２１０で受け付けた商品を、ステップＳ２６０で選択されたショップから購入するための購入画面を示す画面を、カスタマの端末装置に表示する。
【００９２】
次に管理装置２００は、特典を適用する旨を既定値として指定する（ステップＳ２８０）。管理装置２００は、適用済みリスト表示フラグ２６にオンが記録されていることを検証したうえで、表示した購入画面において、特典を適用するか否かを示す欄に、特典を適用する旨を表示する。管理装置２００は、ステップＳ２８０を終えると、購入画面表示処理を終了する。
【００９３】
ステップＳ２２０でカスタマが特典を保有していないと判定した場合（ステップＳ２２０：ＮＯ）、管理装置２００は、抽出された各ショップについて、特典を適用しない場合の価格によりソートする（ステップＳ２４１）。管理装置２００は、抽出ショップリスト２５に記録されているショップを、対象商品について各ショップが付けた商品価格に基づいてソートすることにより、未適用リストを生成する。
【００９４】
次に管理装置２００は、ソートされたリストをカスタマに提示する（ステップＳ２５１）。管理装置２００は、ステップＳ２４１で生成した未適用リストの内容を示すデータをカスタマの端末装置に送信し、表示させる。また、これに伴い、管理装置２００は、適用済リスト表示フラグ２６にオフを記録する。ステップＳ２４１およびステップＳ２５１の処理は、管理装置２００による、提示部３２としての機能によるものである。
【００９５】
次に管理装置２００は、カスタマからのショップ選択を受け付ける（ステップＳ２６１）。管理装置２００は、カスタマの端末装置から、カスタマが適用済リストを介して選択したショップを示す情報を受信する。ステップＳ２６１の処理は、管理装置２００による、受付部３３としての機能によるものである。
【００９６】
次に管理装置２００は、購入画面を表示する（ステップＳ２７１）。管理装置２００は、ステップＳ２１０で受け付けた商品を、ステップＳ２６１で選択されたショップから購入するための購入画面を示す画面を、カスタマの端末装置に表示する。
【００９７】
次に管理装置２００は、特典を適用しない旨を既定値として指定する（ステップＳ２８１）。管理装置２００は、適用済みリスト表示フラグ２６にオフが記録されていることを検証したうえで、表示した購入画面において、特典を適用するか否かを示す欄に、特典を適用しない旨を表示する。管理装置２００は、ステップＳ２８１を終えると、購入画面表示処理を終了する。
【００９８】
管理装置２００が購入画面表示処理を終了すると、カスタマの端末装置には、購入画面が表示される。カスタマが適用済リストを介して購入画面を表示させた場合、表示された購入画面には最初に特典を適用する旨が既定値として指定されている。そのため、カスタマは、自ら操作して特典を適用しないように設定を変更しなければ、購入において特典を適用することができる。一方、カスタマが未適用リストを介して購入画面を表示させた場合、表示された購入画面には最初は特典を適用しない旨が既定値として指定されている。そのため、カスタマは、意識して特典を適用するように設定を変更しなければ、購入において、意図しないまま特典が適用されることを避けることができる。
【００９９】
管理装置２００が適用済リストをカスタマに提示する場合、一例として図１１に示すような画面をカスタマの端末装置に表示する。管理装置２００は、この画面において、表示されているのが適用済リストであることを示す表示欄Ｆ０１、対象商品の商品情報を表示する表示欄Ｆ０２を示したうえで、各ショップにおける商品価格などの情報を示す表示欄（表示欄Ｆ１０およびＦ２０）などを表示する。各ショップの表示欄は、適用済リストに従い、特典適用済み価格に従ってソートされた状態で表示される。
【０１００】
ショップの表示欄Ｆ１０には、そのショップにおける商品の価格Ｆ１１や送料Ｆ１２、特典適用による割引額Ｆ１３、および特典適用済み価格Ｆ１４が表示される。カスタマは、これらの情報を参照したうえで、対象商品を購入するショップを選択する。カスタマが、ショップの表示欄をクリックすると、管理装置２００は、その商品をそのショップで購入するための購入画面を表示する。
【０１０１】
なお、図１１は、管理装置２００が適用済リストをカスタマに表示した例である。管理装置２００が、未適用リストをカスタマに表示する場合も、表示される情報はほぼ同様であるが、表示枠Ｆ０１に、画面に表示されている情報は特典が適用されていないケースのものである旨を表示する。
【０１０２】
図１２は、管理装置２００がカスタマにむけて表示する購入画面の一例を示す図である。管理装置２００は購入画面に、対象商品の商品情報Ｇ１１、その商品の単価Ｇ１２、購入個数Ｇ１３、そのショップにおける購入商品の商品総額Ｇ１４、送料Ｇ１５、特典による割引額Ｇ１６、特典を使用するか否かを示すチェックボックスＧ１７、および支払総額Ｇ１８などを表示する。
【０１０３】
管理装置２００は、適用済リストを介して購入画面を表示する操作がなされると、チェックボックスＧ１７にチェックを入れた状態で購入画面を表示する。すなわち、管理装置２００は特典を適用する旨が既定値として指定された状態で購入画面を表示する。一方、管理装置２００は、適用済リストを介さずに購入画面を表示する操作がなされた場合、チェックボックスＧ１７にはチェックが入っていない状態で購入画面を表示する。すなわち、管理装置２００は特典を適用しない旨が既定値として指定された状態で購入画面を表示する。
【０１０４】
管理装置２００は購入画面において、あくまで既定値として、特典を適用する旨あるいは特典を適用しない旨を指定した状態で表示する。カスタマは、購入画面において特典を適用するか否かを変更することができる。例えば、管理装置２００は、チェックボックスＧ１７にチェックが入った状態の時に、カスタマがチェックボックスＧ１７をクリックする操作をした場合、チェックボックスＧ１７をチェックが外れた状態に切り替える。これにより、カスタマは、既定値として特典を適用する旨が指定された状態から、特典を適用しない状態に切り替えることができる。逆に、既定値として特典を適用しない旨が指定されていた場合も、カスタマがチェックボックスＧ１７をクリックすることにより、特典を適用する状態に切り替えることができる。
【０１０５】
ここまで説明した管理装置２００は、カスタマが特典を保有しているか否かに基づいて、適用済リストまたは未適用リストのいずれを表示するか切り替える。しかし、本実施形態はこれに限られず、管理装置２００は、カスタマの操作に基づいて、適用済リストまたは未適用リストのいずれを表示するか選択するものであってもよい。具体的には、管理装置２００は、カスタマから、どのような基準に基づいてソートすべきであるかを示す操作を受け付ける機構を備えてもよい。その場合、管理装置２００は、特典を適用した後の商品の価格以外の順序に基づいてソートすべき旨の指示を示す操作がカスタマによってなされると、特典を適用しない状態で、カスタマの指示に従ってソートされたリスト（未適用リスト）をカスタマに提示する。その場合、管理装置２００は、購入画面の表示にあたり、既定値として特典を適用しない旨を指定する。
【０１０６】
以上、本発明の好ましい実施形態について詳述したが、本発明はかかる特定の実施形態に限定されるものではなく、請求の範囲に記載された本発明の要旨の範囲内において、種々の変形、変更が可能である。
【０１０７】
本発明の実施形態にかかる管理装置は、専用のシステムによらず、通常のコンピュータシステムを用いても実現可能である。例えば、コンピュータに、上記動作を実行するためのプログラムを、フレキシブルディスク、ＣＤ−ＲＯＭ（Compact Disk-Read Only Memory）、ＤＶＤ（Digital Versatile Disk）、ＭＯ（Magnet Optical Disk）など、非一時的なコンピュータ読み取り可能な記憶媒体に記憶して配布し、これをコンピュータシステムにインストールすることにより、上述の処理を実行する管理装置を構成しても良い。さらに、インターネット上のサーバ装置が有するディスク装置等にプログラムを記憶しておき、例えば、搬送波に重畳させて、コンピュータにダウンロード等するものとしてもよい。
【０１０８】
また、本発明の実施形態にかかる管理装置は、一台で実現されるものに限定されない。複数のコンピュータが上述した各部の機能を分担することにより、それらの複数のコンピュータからなる一つのシステムとして各機能を提供するものであってもよい。
【０１０９】
また、上述した実施形態は、本発明を説明するためのものであり、本発明の範囲を限定するものではない。つまり、本発明の範囲は、実施形態ではなく、請求の範囲によって示される。そして、請求の範囲内およびそれと同等の発明の意義の範囲内で施される様々な変形が、本発明の範囲内とみなされる。
【符号の説明】
【０１１０】
１１：計算部
１２：選択部
１３：推奨部
２１：電子カートデータ
２２：ユーザ保有特典データ
２３：各ショップ送料データ
２４：電子市場データ
２５：抽出ショップリスト
２６：適用済リスト表示フラグ
３１：抽出部
３２：提示部
３３：受付部
１００、２００：管理装置
１１０：ＣＰＵ
１１１：ＲＯＭ
１１２：ＲＡＭ
１２０、２２０：記憶装置
１３０：操作デバイス
１４０：ディスプレイ
１５０：ネットワークインターフェース
１９０：内部バス
Ｃ：カスタマ
【図１】
2016208039.tif 000003
【図２】
2016208039.tif 000004
【図３】
2016208039.tif 000005
【図４】
2016208039.tif 000006
【図５】
2016208039.tif 000007
【図６】
2016208039.tif 000008
【図７】
2016208039.tif 000009
【図８】
2016208039.tif 000010
【図９】
2016208039.tif 000011
【図１０】
2016208039.tif 000012
【図１１】
2016208039.tif 000013
【図１２】
2016208039.tif 000014
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
インターネットを介して複数のショップが出店する電子市場を管理する管理装置であって、
カスタマの電子カートに投入されている商品を、当該商品のショップごとに分類し、当該分類されたショップごとに、特典を適用することによる割引額を計算する計算部と、
前記割引額が高くなる順に、前記特典を適用すべきショップを前記割引額が計算されたショップから選択する選択部と、
前記選択されたショップに前記特典を適用するように前記カスタマに推奨する推奨部と、
を備える管理装置。
【請求項２】
前記選択部は、前記カスタマに割り当てられた特典の数が、前記割引額が計算されたショップの数未満であるときに、前記特典を適用すべきショップを選択する、
請求項１に記載の管理装置。
【請求項３】
前記選択部は、前記分類されたショップのうち、前記割引額があらかじめ定められた額よりも高くなる前記ショップを、前記特典を適用すべきショップとして選択する、
請求項１または２に記載の管理装置。
【請求項４】
インターネットを介して複数のショップが出店する電子市場を管理する管理装置による管理方法であって、
前記管理装置が、カスタマの電子カートに投入されている商品を、当該商品のショップごとに分類し、当該分類されたショップごとに、特典を適用することによる割引額を計算する計算ステップと、
前記管理装置が、前記割引額が高くなる順に、前記特典を適用すべきショップを前記割引額が計算されたショップから選択する選択ステップと、
前記管理装置が、前記選択されたショップに前記特典を適用するように前記カスタマに推奨する推奨ステップと、
を備える管理方法。
【請求項５】
インターネットを介して複数のショップが出店する電子市場を管理するコンピュータに、
カスタマの電子カートに投入されている商品を、当該商品のショップごとに分類し、当該分類されたショップごとに、特典を適用することによる割引額を計算する計算手順、
前記割引額が高くなる順に、前記特典を適用すべきショップを前記割引額が計算されたショップから選択する選択手順、
前記選択されたショップに前記特典を適用するように前記カスタマに推奨する推奨手順、
を実行させるプログラムを記録した非一時的な記録媒体。
【請求項６】
インターネットを介して複数のショップが出店する電子市場を管理するコンピュータに、
カスタマの電子カートに投入されている商品を、当該商品のショップごとに分類し、当該分類されたショップごとに、特典を適用することによる割引額を計算する計算手順、
前記割引額が高くなる順に、前記特典を適用すべきショップを前記割引額が計算されたショップから選択する選択手順、
前記選択されたショップに前記特典を適用するように前記カスタマに推奨する推奨手順、
を実行させるプログラム。
【国際調査報告】
2016208039.tif 000015
2016208039.tif 000016
2016208039.tif 000017
2016208039.tif 000018